(57)【特許請求の範囲】
【請求項１】
広告または宣伝用のポスターであって、広告または宣伝に関する情報であって当該ポスターに表示されている内容と同一情報または一部の情報がＲＦ−ＩＤタグのメモリーに記録されて、前記ポスターには耐水性シートが設けられており、前記ＲＦ−ＩＤタグは、前記耐水性シートに貼付され、当該耐水性シートの反対側に耐水性保護シートが設けられていることを特徴とするＲＦ−ＩＤタグ付きポスター。
【請求項２】
広告または宣伝用のポスターであって、広告または宣伝に関する情報であって当該ポスターに表示されている内容と同一情報または一部の情報がＲＦ−ＩＤタグのメモリーに記録されて、当該ＲＦ−ＩＤタグが耐水性の偏平な袋体に納められてポスターに貼付されていることを特徴とするＲＦ−ＩＤタグ付きポスター。
【請求項３】
前記ポスターは、屋内外掲示用であることを特徴とする請求項１または請求項２記載のＲＦ−ＩＤタグ付きポスター。
【請求項４】
ＲＦ−ＩＤタグが、当該中吊りポスターの下辺中央部に貼付されていることを特徴とする請求項１ないし請求項３記載のＲＦ−ＩＤタグ付きポスター。
【請求項５】
ＲＦ−ＩＤタグがポスターの絵柄印刷面とは反対側の面に貼付されていることを特徴とする請求項１ないし請求項４記載のＲＦ−ＩＤ付きポスター。
【請求項６】
ＲＦ−ＩＤタグが貼付される位置のポスター絵柄面にＲＦ−ＩＤタグの貼付位置を表示する特定のマークが付されていることを特徴とする請求項５記載のＲＦ−ＩＤタグ付きポスター。
【請求項７】
ＲＦ−ＩＤタグのメモリーに必要な情報を記録した後、ライトプロテクト処理がされていることを特徴とする請求項１ないし請求項６記載のＲＦ−ＩＤタグ付きポスター。
【発明の詳細な説明】
【０００１】
【発明の属する技術分野】
この発明は、ＲＦ−ＩＤタグの付いたポスターに関する。ポスターに非接触通信機能を有するＲＦ−ＩＤタグを付けることによって、観察者がポスター上の関心のある情報を携帯型リーダーライタを用いて取得できるようにするものである。したがって、本発明の利用分野は広告、宣伝、情報等の分野に関する。
【０００２】
【従来技術】
物品に、メモリー付き集積回路を有する「ＲＦ−ＩＤタグ」（一般に、「非接触データキャリア」、「無線ＩＣタグ」、「非接触ＩＣ」、「非接触ＩＣラベル」、「非接触ＩＣタグ」等と表現される場合もある。）を実装し、各種の情報を記録して商品情報表示や物流の合理化あるいは物品の管理を行うことがされるようになってきている。このＲＦ−ＩＤタグは一般にメモリーを有して情報を記録しかつＲＦ−ＩＤタグリーダにより読み取りできるようになっているのが通常である。
【０００３】
一方、広告宣伝用のポスターは、視覚に訴えて注目度を高める必要から、様々なグラフィック処理がされ、コピーが追加されているのが通常である。
しかし、従来のポスターには、「製品名」や「内容」あるいは「上映期間」や「上映時刻」、「出演者」等、多くの情報が記録されている割りには、観察者にその情報が記憶として残らない場合が多い。通勤移動中などの短時間の接触となる「ポスター類」では、書籍のように手元に所有し繰り返し閲覧確認できたりしないため、情報量が多すぎて肝心の主要情報を記憶することが困難な場合が多いからである。
【０００４】
例えば、電車内で中吊り広告が目にとまり、興味を引かれても、必要な情報を記憶する前に下車することなどがある。記憶した積もりでも忘れてしまうことも多い。もっとも、メモをすれば記憶する必要はなくなるが、面倒であり混雑した車内では他人の迷惑となり、不可能な場合もある。
このように従来のポスターでは、観察者に必要な情報を記憶させるか、何らかの形で記憶を保持できるように配慮する視点が欠けていたように考えられる。
【０００５】
【発明が解決しようとする課題】
そこで、本発明では、ポスターにＲＦ−ＩＤタグを貼付し、それに必要な情報を記録しておくことにより、情報を取得したい者はリーダライタを使って非接触で当該情報を読み取れば簡単に情報を取得できることを着想し、本発明の完成に至ったものである。
【０００６】
【課題を解決するための手段】
上記課題を解決する本発明の要旨の第１は、広告または宣伝用のポスターであって、広告または宣伝に関する情報であって当該ポスターに表示されている内容と同一情報または一部の情報がＲＦ−ＩＤタグのメモリーに記録されて、前記ポスターには耐水性シートが設けられており、前記ＲＦ−ＩＤタグは、前記耐水性シートに貼付され、当該耐水性シートの反対側に耐水性保護シートが設けられていることを特徴とするＲＦ−ＩＤタグ付きポスター、にある。かかるポスターであるため、ＲＦ−ＩＤタグ用リーダーを用いて情報を簡単に読み取りすることができるとともに、ポスターが水濡れしても機能を維持できる。
【０００７】
上記課題を解決する本発明の要旨の第２は、広告または宣伝用のポスターであって、広告または宣伝に関する情報であって当該ポスターに表示されている内容と同一情報または一部の情報がＲＦ−ＩＤタグのメモリーに記録されて、当該ＲＦ−ＩＤタグが耐水性の偏平な袋体に納められてポスターに貼付されていることを特徴とするＲＦ−ＩＤタグ付きポスター、にある。かかるポスターであるため、ＲＦ−ＩＤタグ用リーダーを用いて情報を簡単に読み取りすることができるとともに、ポスターが水濡れしても機能を維持できる。
【０００８】
上記本発明の要旨の第１、第２において、ＲＦ−ＩＤタグが、当該中吊りポスターの下辺中央部に貼付されていれば、情報を読み取りし易く、かつ混信を防止できる。また、ＲＦ−ＩＤタグをポスターの絵柄印刷面とは反対側の面に貼付すれば、絵柄を損なうことがなく、その場合のＲＦ−ＩＤタグが貼付される位置のポスター絵柄面にＲＦ−ＩＤタグの貼付位置を表示する特定のマークを付するようにすることができる。そうすることによりＲＦ−ＩＤタグの位置を表面側からも特定し易くなる。また、ＲＦ−ＩＤタグのメモリーに必要な情報が記録された後、ライトプロテクト処理がされていれば、悪意による改ざんやその他の原因の書き込みを防止できる。
【０００９】
【発明の実施の形態】
以下、本発明のＲＦ−ＩＤタグ付きポスターについて図面を参照して説明する。図１は、ＲＦ−ＩＤタグ付きポスターの一例を示す図である。
図１（Ａ）は、中吊り用ポスター１の表面絵柄面、図１（Ｂ）はポスター１の裏面を示している。ポスター１は吊り具３に保持されて車内に掲示されている。
ポスター１の表面には、通常のように、映画宣伝の絵柄１２や上映期間、時刻、映画館、入場料等の情報１３が表示されている。登場人物や出演者名等の情報１４も同様である（図１（Ａ））。
ポスター１の裏面には、ＲＦ−ＩＤタグ１１が貼付されている（図１（Ｂ））。ＲＦ−ＩＤタグ１１の貼付位置は表面側であっても良いが、絵柄デザインを損なわないため、あるいはテープ等で補強して強固に接着するためには裏面に貼付することが好ましい。
【００１０】
車内中吊り用ポスター１の場合、たいがいは乗客の頭上に掲げられることになるので、ＲＦ−ＩＤタグ１１をリーダーで読み取るためには、手を伸ばして携帯型ＲＦ−ＩＤタグリーダーが届くような範囲が良く、ポスター１の下辺側に貼付するのが好ましい。また、隣のポスターとの混信を防止するためには、下辺側でも中央部付近がさらに好ましいことになる。
ＲＦ−ＩＤタグ１１をポスター裏面に貼付する場合は、表面側のＲＦ−ＩＤタグ１１の位置する部分にマーク１１ｍを設けておくことが好ましい。リーダーで読み取る際に位置を特定し易くするためである。
ＲＦ−ＩＤタグ１１はライトプロテクト（書き込み防止）処理をすることが好ましい。データの内容が悪意の改ざんまたは何らかの原因で間違った内容に書き換えられる場合は、当該内容を信じて行動する人が迷惑するからである。ライトプロテクトは情報書き込み後に、書き込み禁止処理を行うか、ライトプロテクト機能を有するＲＦ−ＩＤタグを使用する。
【００１１】
図２は、屋内または屋外掲示用のポスターの例を示す図である。図１の場合と同様に、映画宣伝の絵柄１２や上映期間、時刻、映画館、入場料等の情報１３、登場人物や出演者の名前１４が表示されている。
屋内外掲示ポスターの場合は、ポスターの大きさは不特定であり掲示する位置もさまざまである。しかし、ＲＦ−ＩＤタグ１１は観察者が携帯型ＲＦ−ＩＤタグリーダー２を手に持って読み取るので、観察者Ｍ１の身長にもより異なるが誰にでも読み取りできるためには、手を伸ばして届く高さである人間の歩行面５から、高さＨ＝２．０ｍ以下の位置に貼付されることが好ましい。
【００１２】
図３は、ポスターにＲＦ−ＩＤタグを貼付した断面状態を示す図である。
屋外掲示の場合、雨による水濡れ等によりＲＦ−ＩＤタグ１１の機能が働らかなくなる場合があるので、防水処理が施されることが好ましい。
これには、ポスター１に耐水性シート１５を被覆してからＲＦ−ＩＤタグ１１を接着してさらに耐水性保護シート１６でＲＦ−ＩＤタグ１１を保護することができる。あるいはまた、ＲＦ−ＩＤタグ１１を耐水性の偏平な袋体に納めてポスターに接着するようにしても良い。
通常、ＲＦ−ＩＤタグは、数ｃｍから数十ｃｍの距離間で非接触交信してリードライト（Ｒ／Ｗ）できるが、使用する周波数帯や状況によって通信距離が極端に短くなる。特に高い周波数帯域（例：２．４５Ｇｈｚ）で使用するタグは、水分による減衰が大きくなり、正常な交信ができなくなる場合がある。
【００１３】
ＲＦ−ＩＤタグの貼付位置を表示するマーク１１ｍは任意の形状でよい。
例として、（Ａ）矩形状の着色部、（Ｂ）矩形状の線による囲い、（Ｃ）罫書き線による表示、あるいは、（Ｄ）アンテナパターン等の特定のマーク、等の印刷であっても良い。
ＲＦ−ＩＤタグのリードライトは極端な精度が求められる訳ではないので、当該表示付近にタグが貼着されれば失敗が生じないようなある程度許容を持った大きさで位置決めマークを設けることができる。
【００１４】
図４は、ＲＦ−ＩＤタグの実施形態を示す図である。使用するＲＦ−ＩＤタグ１１には各種の実施形態があるが、汎用的な例として、図４図示のものを挙げることができる。
図４のＲＦ−ＩＤタグ１１は、プラスチック等の基材１１０にアンテナパターン１１２を形成し、当該アンテナコイルとＩＣチップ１０に内蔵の容量素子とにより共振回路を形成して一定周波数の電波を受信してＲＦ−ＩＤタグの情報を発信源に送信して返すことができる。
図４の場合、アンテナパターン１１２は導通部材１１４により基材１１０の裏面でジャンピング回路を形成してコイル接続端子１１２ＣによりＩＣチップ１１１の裏面のバンプまたはパッドに接続している。
このようなＲＦ−ＩＤタグ１１は基材１１０にラミネートしたアルミ箔等の金属箔をフォトエッチングやレジスト印刷後のエッチングによりアンテナパターン１１２を形成し、ＩＣチップ１０を装着して形成することができる。その大きさも２０ｍｍ×２０ｍｍ程度以下のサイズとすることができる。
【００１５】
図５は、ＲＦ−ＩＤタグの他の実施形態を示す図である。図５（Ａ）は、ＩＣチップラベル１０Ｌをアンテナパターン１１１，１１２の双方に接続するように貼着した平面状態、図５（Ｂ）は、アンテナパターン１１１，１１２からＩＣチップラベル１０Ｌを部分的に剥離した状態を示し、図５（Ｃ）は、図５（Ａ）のＡ−Ａ線に沿う拡大した断面を示す図である。ＩＣチップラベル１０Ｌが異方導電性接着剤１１７によりアンテナパターン１１１，１１２に貼着されている状態が示されている。当該異方導電性接着剤はあらかじめＩＣチップラベル１０Ｌのアンテナパターン１２１，１２２面に塗工されていてタックラベル化している。
図５（Ｃ）からは、ＩＣチップラベル１０Ｌにも小さいアンテナパターン１２１，１２２が印刷されていて、ＩＣチップ１０が装着していることが明瞭に分かる。
【００１６】
図５のＲＦ−ＩＤタグの実施形態の場合、ＲＦ−ＩＤタグ１１は、ポスター基材２１０にアンテナパターン１１１，１１２を直接印刷して、あるいはアンテナパターンを印刷した粘着ラベルを製作して、当該アンテナパターン１１１、１１２にＩＣチップラベル１０Ｌを装着する。
アンテナパターン１１１，１１２の印刷には導電性インキを使用して、オフセット、グラビア、シルクスクリーン印刷等によって印刷できる。導電性インキには、カーボンや黒鉛あるいは銀粉やアルミ粉、あるいはそれらの混合体をビヒクルに分散したインキを使用する。
【００１７】
アンテナパターンの形状は特に限定されず直線状のものでも捲線状のものでもよく、図示のように２枚の羽状のものであってもよい。この羽状のパターンに導通するようにＩＣチップラベル１０Ｌを貼着している。
なお、「ＩＣチップラベル」とは、シリコン基板に集積回路またはメモリあるいはその双方を設けたＩＣチップを、ＲＦ−ＩＤタグのアンテナパターン１１１，１１２に装着可能にタックラベル化した状態のものを意味し、当該ラベル自体にもＩＣチップに接続した小型のアンテナ部を有する場合もある。具体的には、モトローラ社が製造する「Ｂｉｓｔａｔｉｘ」用のインターポーザの形態のものを表現している。
【００１８】
ＩＣメモリの場合は、１０２４Ｂｉｔｓで、１２８文字の記録ができ、通常の宣伝、広告用のポスターに表示する情報の記録には適用できる。
数キロビットであれば、雑誌の目次程度の相当に詳細な内容の情報を記録することが可能である。
【００１９】
次に、ＲＦ−ＩＤタグ付きポスターの利用方法について説明する。
携帯可能なＲＦ−ＩＤタグリーダーをポスターに接近させると、ＲＦ−ＩＤタグは、リーダーの電波を感知して所定の情報をリーダー側に送信する。ＲＦ−ＩＤタグリーダーは読み取った情報をメモリーに記録するので、当該情報を携帯端末のディスプレイに随時表示することができるし、必要な場合は後にプリンタで出力することもできる。
【００２０】
中吊り用ポスターの場合は高い位置にあるので、ＲＦ−ＩＤタグリーダーをある程度手に掲げて高くして読み取る必要が生じる。しかし、一般の屋内外のポスターの場合は、観察者が携帯機器を最も扱い易い高さにＲＦ−ＩＤタグを貼付することができる。一般的には、人間が立っている状態で、歩行面から５０ｃｍから１．５ｍ程度が最も機器の扱いが容易であり、通常、２．０ｍまでは手が届く範囲である。
この場合のＲＦ−ＩＤタグリーダーの出力は、数ｍＷ〜数１００ｍＷが好ましい。あまり、強力では隣接するポスターの情報を読み取ったり混信する影響を生じるからである。もっとも、後述の管理目的等の場合のように、車内全体の情報を一括して取得できるような出力の大きいリーダーを使用することもできる。
【００２１】
ＲＦ−ＩＤタグリーダーは、ＩＣカード等のリーダーとして専用のリーダーも市販されているが、このリーダーを持ち運びすることは現実的ではない。
携帯して持ち運びし易いリーダーとして、例えば、スプリングボード社では、１３．５６Ｍｈｚ帯リーダ付き携帯情報端末「Ｖｉｓｏｒ」を販売している。
これは、携帯情報端末「Ｖｉｓｏｒ」のスロットに通信モジュール（Hand'IT module）を装着したもので、インターフェイスを介して近接距離におけるＲＦ通信機能が確保される。５１２キロバイトのフラッシュＥＥＰＲＯＭも備えていて情報記録をすることができる。
同様に、わが国においても携帯電話機等にＲＦ通信機能を搭載することが提案されていて（特願２０００−２７４２４６等）、このような携帯情報端末が普及するのは近い将来と考えられる。
【００２２】
ＲＦ−ＩＤタグ付きポスターの他の利用方法として、以下の用法がある。
＜生活者向け用途＞
ＲＦ−ＩＤタグに、「製品名」「価格」「製品の特徴」「問い合わせ先」などを書き込んで、ポスターに貼付する。生活者はＲＦ−ＩＤタグリーダー（携帯電話、ＰＤＡ）などを用いて、この情報を取得する。新製品の紹介や特売品のポスター等に適切となる。
＜イベントの案内用途＞
ＲＦ−ＩＤタグに、「イベント名」「開催日」「チケット発売日」「問い合わせ先」などを書き込んで、ポスターに貼付する。生活者は携帯型ＲＦ−ＩＤタグリーダー等を用いて情報を記録する。
また、「ホームページ（ＨＰ）アドレス」を記録しておけば、このアドレスをリーダーで取得して、「ｉ−ＭＯＤＥ」や「ＥＺ−ＷＥＢ」（セルラー・グループが提供する文字情報サービス）などのインターネット接続サービスを経由して、ＨＰから、ポスターより詳しい情報の取得、問い合わせ／申し込みを行うことも可能となる。
【００２３】
＜広告出稿者、管理者向け用途＞
ＲＦ−ＩＤタグ付きポスターに関する特殊な利用方法として、広告宣伝ポスターの管理目的に使用することができる。
ＲＦ−ＩＤタグに「広告期間」「出稿社名」「代理店名」等を書き込み、管理者はリーダーを用いて、期限切れ広告の撤去や、出稿社への掲示確認認証用のデータを取得できる。すなわち、広告宣伝業者がポスターを掲示したことの証拠として、車内のポスターのＲＦ−ＩＤタグの全データを非接触で読み取り、当該データを広告依頼主に提出することが考えられる。これを各車両について毎日定時に行えば、確実な証拠とすることができるからである。インターネットを介してクライアントに送り承認を得ることもできる。
【００２４】
【実施例】
（実施例１）
図１、図２、図５等を参照して本発明の実施例を説明する。
キャストコート紙（１２０ｇ／ｍ2 ）を基材として、月刊誌の車内中吊り用ポスター１をオフセット印刷で印刷して、絵柄１２とともに目次や記事内容等も同時に印刷した。この目次・記事内容の情報１３をＲＦ−ＩＤタグ（大日本印刷株式会社製「ａｃｃｕｗａｖｅ」；４ｋＢｉｔｓ）１１に記録し、このポスター１の表面下辺部に貼付した。
この車内中吊り用ポスター１を車内に掲示して、ＲＦ−ＩＤタグ１１の情報を携帯型ＲＦ−ＩＤタグリーダーで読み取ったところ、ＲＦ−ＩＤタグから５ｃｍの距離から情報を読み取ることができた。
【００２５】
（実施例２）
ポリプロピレン系合成紙  ユポ１３０μｍ（王子油化株式会社製  商品名）にオフセット印刷で、封切り映画の広告用ポスター１を印刷して、宣伝の絵柄１２とともに上映期間、時間帯、上映映画館、入場料等の情報１３も同時に印刷した。印刷表面には耐水性のオーバーコートを行った。
一方、樹脂含浸したラベル状の耐水性紙基材に、カーボン顔料による導電性インキを用いてシルクスクリーン印刷により、アンテナパターン１１１，１１２の印刷を行ない乾燥した。このアンテナパターンのＩＣチップ接続端部上に、モトローラ社タック加工済ＩＣチップラベル「Ｂｉｓｔａｔｉｘ」（１ｋＢｉｔｓ）を実装した。
このＲＦ−ＩＤタグラベルに上記の上映期間等の情報１３を記録し、このポスター１の裏面位置であって歩行面から高さ１．２ｍの位置に貼付した。貼付面をさらに耐水性タックラベル（ポリエチレンシート）でシールして保護した。
なお、ＲＦ−ＩＤタグ１１のある部分のポスター表面側には、「ＲＦ−ＩＤタグが貼付されていること、読み取り可能なこと」の表示を設けた。
この屋外広告用ポスターを街頭に掲示して、ＲＦ−ＩＤタグ１１の情報を携帯型ＲＦ−ＩＤタグリーダー２で読み取ったところ、ＲＦ−ＩＤタグから５ｃｍの距離から情報を読み取ることができた。雨天の日でも読み取りに支障はなかった。
【００２６】
【発明の効果】
上述のように、本発明のＲＦ−ＩＤタグ付きポスターは、ポスターに非接触通信機能を有するＲＦ−ＩＤタグが貼付され、ＲＦ−ＩＤタグにはポスター上の情報が電気的に記録されているので、ポスター上の関心のある情報をＲＦ−ＩＤタグリーダーを用いて誰もが任意に取得することができる。
ＲＦ−ＩＤタグに、さらに「問い合わせ先」「ＨＰアドレス」等を記録しておけば、携帯端末やモバイルネットワーク、インターネットを介してさらに詳しい情報を取得することができる。
従って、ポスターの利用価値が高くなり、単に視覚的に認識するポスターに比べて宣伝広告効果が格段に向上する。
【図面の簡単な説明】
【図１】  ＲＦ−ＩＤタグ付きポスターの一例を示す図である。
【図２】  屋内または屋外掲示用のポスターの例を示す図である。
【図３】  ポスターにＲＦ−ＩＤタグを貼付した断面状態を示す図である。
【図４】  ＲＦ−ＩＤタグの実施形態を示す図である。
【図５】  ＲＦ−ＩＤタグの他の実施形態を示す図である。
【符号の説明】
Ｍ１    観察者
１    ポスター
２    ＲＦ−ＩＤタグリーダー
３    吊り具
５    歩行面
１０    ＩＣチップ
１０Ｌ    ＩＣチップラベル
１１    ＲＦ−ＩＤタグ
１２    宣伝の絵柄
１３    上映期間、時刻、映画館、入場料等等の情報
１４    登場人物や出演者名
１１０，２１０    基材
１１１，１１２    アンテナパターン
１１４    導通部材
１１７    異方導電性接着剤
１２１，１２２    アンテナパターン
【図１】
0004686024.tif 000002
【図２】
0004686024.tif 000003
【図３】
0004686024.tif 000004
【図４】
0004686024.tif 000005
【図５】
0004686024.tif 000006